(57)【要約】【課題】表示部の文字が見えにくかったり文字が透けて見えたりすること防止でき、装置の設置やメンテナンスが容易である歩行者用押ボタン箱を提供する。【解決手段】情報を表示する表示部３０を備えた歩行者用押ボタン箱１であって、正面が開口した本体部１０と、本体部１０の開口を覆うように設けられた正面カバー２０と、を備えており、正面カバー２０は、その上端を支点として、その下端が上下に揺動可能に設けられている。正面カバー２０を上方に揺動させれば本体部１０が開口した状態とすることができる。しかも、本体部１０を開口させた状態において、外部から端子台に接続される配線（外部配線ＬＷ）と内部配線ＣＷとが重ならない状態とすることができる。すると、内部の機器のメンテナンスや、最初の外部配線を端子台Ｔに接続する作業が容易になる。【選択図】図１
2014032468.tif 000002
【特許請求の範囲】
【請求項１】
情報を表示する表示部を備えた歩行者用押ボタン箱であって、
正面が開口した本体部と、
該本体部の開口を覆うように設けられた正面カバーと、を備えており、
該正面カバーは、
その上端を支点として、その下端が上下に揺動可能に設けられている
ことを特徴とする歩行者用押ボタン箱。
【請求項２】
外部機器および／または前記表示部と配線によって連結される端子台が、前記本体部の内部上方に配設されており、
前記表示部は、
エッジライト方式を採用した表示器を備えている
ことを特徴とする請求項１記載の歩行者用押ボタン箱。
【請求項３】
前記正面カバーの正面上部を囲むように、庇部が設けられており、
該庇部は、
前記正面カバーの正面からの突出量が１５ｍｍ以上となるように形成されている
ことを特徴とする請求項２記載の歩行者用押ボタン箱。
【請求項４】
前記正面カバーは、
前記本体部と丁番によって連結されており、
該丁番は、
前記本体部に固定された固定プレートと、
前記正面カバーに固定された移動プレートと、
該移動プレートと前記固定プレートとを揺動可能に連結する連結軸と、を備えており、
前記移動プレートは、
前記固定プレートに対して、前記連結軸の軸方向に沿って接近離間可能となるように該連結軸を介して連結されており、
前記正面カバーを前記本体部に対して上方まで揺動させかつ前記移動プレートを前記固定プレートに対して離間させた場合において、前記正面カバーの下方への揺動を規制する揺動規制機構が設けられている
ことを特徴とする請求項１、２または３記載の歩行者用押ボタン箱。
【請求項５】
前記移動プレートは、
前記固定プレートに対して前記連結軸の軸方向に沿って移動させると、前記固定プレートに対して着脱可能となるように設けられており、
前記正面カバーが前記本体部に対して下方に揺動した状態において、前記固定プレートに対して前記移動プレートが前記連結軸の軸方向に沿って移動することを規制する軸方向移動規制機構が設けられている
ことを特徴とする請求項４記載の歩行者用押ボタン箱。
【請求項６】
前記本体部は
前記正面カバーが揺動可能に連結される上部プレートと、該上部プレートを挟むように設けられた一対の側壁と、を有する正面が開口した中空な箱型の部材であり、
前記正面カバーは、
前記本体部に揺動可能に連結される上部プレートと、該上部プレートを挟むように設けられた一対の側壁と、を有する背面が開口した中空な箱型の部材であり、
該正面カバーは、
前記上部プレートおよび前記一対の側壁の後端によって囲まれた背面の開口から前記本体部をその内部に収容しうる大きさに形成されており、
前記本体部の一対の側壁の外面には、前記本体部の正面を向きかつ該本体部の上下方向に沿って延びた側方連結面を有する段差が形成されており、
前記正面カバーの一対の側壁の内面には、前記正面カバーの背面を向きかつ該正面カバーの上下方向に沿って延びた側方連結面を有する段差が形成されており、
前記正面カバーの側方連結面および前記本体部の側方連結面は、
前記本体部の開口を覆うように前記正面カバーが配置された状態において、両者が互いに対向する位置に形成されている
ことを特徴とする請求項１乃至５のいずれかに記載の歩行者用押ボタン箱。
【請求項７】
前記本体部の上部プレートの外面には、前記本体部の正面を向きかつ該本体部の一対の側壁間を繋ぐように形成された上方連結面を有する段差が形成されており、
前記正面カバーの上部プレートの内面には、前記正面カバーの背面を向きかつ該正面カバーの一対の側壁間を繋ぐように形成された上方連結面を有する段差が形成されており、
前記正面カバーの上部連結面および前記本体部の上方連結面は、
前記本体部の開口を覆うように前記正面カバーが配置された状態において、両者が互いに対向する位置に形成されており、
前記本体部の上方連結面は前記本体部の側方連結面と連続し、
前記正面カバーの上部連結面は前記正面カバーの側方連結面と連続するように設けられている
ことを特徴とする請求項６記載の歩行者用押ボタン箱。
【請求項８】
前記本体部は、
該本体部の開口を覆うように前記正面カバーが配置された状態において、該本体部の下端部の先端面と、前記正面カバーの背面との間に隙間が形成されるように形成されている
ことを特徴とする請求項１乃至７のいずれかに記載の歩行者用押ボタン箱。
【請求項９】
光によって情報を表示する表示器であって、
情報が描かれた情報表示部と、該情報表示部の情報を隠蔽するカバー部と、からなる情報提示部と、
該情報提示部の背面から光を供給する光源部と、を備えており、
該光源部が、
エッジライト方式を採用した光源である
ことを特徴とする歩行者用押ボタン箱用表示器。
【請求項１０】
前記表示器は、
前記光源部からの光で前記情報表示部に表示される情報が、色弱の方でも視認できる色となるように調整されている
ことを特徴とする請求項９記載の歩行者用押ボタン箱用表示器。
【発明の詳細な説明】
【技術分野】
【０００１】
本発明は、歩行者用押ボタン箱および歩行者用押ボタン箱用表示器に関する。さらに詳しくは、交通信号制御器に接続して、歩行者の押ボタン操作による横断要求（車両用信号機の点灯色変更の要求）を受け付ける歩行者用押ボタン箱および、かかる歩行者用押ボタン箱に適した表示器に関する。
【背景技術】
【０００２】
交差点や横断歩道が設けられている場所には、車両用信号機が設けられており、この車両用信号機の点灯色を変更することによって、車両の走行や歩行者の通行を制御している。車両用信号機の点灯は交通信号制御器によって制御されており、一般的な交差点の場合には、交通信号制御器によって、所定の時間で点灯色を切り替えるように制御されている。
【０００３】
一方、交通量の少ない交差点に設けられている車両用信号機や、歩行者に車道を安全に横断させるために設けられている車両用信号機では、押ボタンの操作に基づいて、交通信号制御器によって車両用信号機の点灯色を切り替える制御が行われている。以下、かかる車両用信号機を押ボタン付信号機という。
押ボタン付信号機の交通信号制御器には、歩行者用押ボタン箱が接続されている。歩行者用押ボタン箱には歩行者が操作する押しボタンが設けられており、この押しボタンを操作すると、交通信号制御器は、押ボタン付信号機の点灯色を変更するように制御する。例えば、押ボタンが操作されるまでは、常時、青色が点灯した状態を維持し、押ボタンが操作されると、一定期間経過後に、青色点灯から赤色点灯に切り替わるように、交通信号制御器は車両用信号機の点灯色を制御する。
【０００４】
ところで、歩行者用押ボタン箱は、通常黄色の箱型であり、その正面に操作用の押しボタンと、この押しボタンの操作によって点灯し「おまちください」などのメッセージが表示される表示部が設けられている。また、歩行者用押ボタン箱の正面には、押しボタンの操作を案内する案内プレートなども設けられる（例えば、特許文献１〜３）。
【０００５】
歩行者用押ボタン箱の表示部は、一般的には、押しボタンを押すとバックライトが点灯して、文字が浮かび上がるようになっている。しかし、日中等では太陽光の影響によって、表示部の文字が見えにくかったり、逆に、バックライトが点灯していないのに表示部の文字が透けて見えたりする場合がある。
かかる問題を防ぐために、歩行者用押ボタン箱には、その正面の上部を囲むように庇状の部分が形成されている。これは、庇状の部分の影が表示部にかかれば、表示部の文字が見やすくなるし、表示部の文字が透けて見えることを防止できる、という効果を狙ったものである。
【０００６】
また、従来の歩行者用押ボタン箱は、正面が開口した箱状の本体に、開口を閉じる蓋となる板状部材（正面板）を着脱可能に取り付けて形成されている。この正面板には、上述した表示部や押ボタンが取り付けられている。
この正面板は、下端を支点として上端を下方に揺動させることができるように、その下端と本体の下端との間がリンク機構等によって連結されている。このため、正面板の上端を下方に揺動させれば、本体の開口を開くことができる。
そして、従来の歩行者用押ボタン箱では、本体の開口を開いた状態で、交通信号制御器に接続されている配線を内部の電子機器などに接続したり、内部の電子機器などのメンテナンスを行ったりしている。
【先行技術文献】
【特許文献】
【０００７】
【特許文献１】特開２００６−２２５８４号公報
【特許文献２】特開２００６−２２５８４号公報
【特許文献３】特開２００６−２２５８４号公報
【発明の概要】
【発明が解決しようとする課題】
【０００８】
しかるに、従来の歩行者用押ボタン箱では、庇状の部分が正面よりも突出している量（突出量）は、せいぜい１０ｍｍ程度であり、この程度では庇状の部分の影によって十分に表示部を覆うことができない。
庇状の部分の長さを長くすれば上記問題を解消できるものの、歩行者用押ボタン箱が大型化してしまう。歩行者用押ボタン箱が大型化すると、歩道を通行する歩行者や自転車等が歩行者用押ボタン箱と接触する危険性が高くなるので、歩行者用押ボタン箱は極力薄型が望ましい。しかし、従来の歩行者用押ボタン箱では、箱本体を小型化できないので、庇状の部分の突出量を１０ｍｍ以上にすることは実際上難しい。
以上のような事情もあり、従来の歩行者用押ボタン箱では、日中等における表示部の文字が見えにくかったり文字が透けて見えたりするという問題を解消することは難しい。
【０００９】
また、従来の歩行者用押ボタン箱では、正面板に表示部や押ボタンが設けられており、本体内部には、この表示部や押ボタンを本体内部の端子台に連結する配線（内部配線）が存在している。このため、本体の開口を開いた状態とすると、内部配線が本体の開口を覆うように配置されることになる。
一方、本体内部の端子台に外部の交通信号制御器からの配線（外部配線）を接続する場合、外部配線を本体下方または背面から本体内部に導入して端子台に接続される。この際、本体の開口を開いて作業を行うが、本体の開口を開いた状態とすると、内部配線が本体の開口を覆うように配置されるので、この内部配線の背後を通して外部配線を端子台に接続しなければならない。また、メンテナンスを行う場合でも、外部配線と内部配線とが重なった状態で作業を行わなければならなくなる。
したがって、従来の歩行者用押ボタン箱では、歩行者用押ボタン箱を設置する作業や内部の電子機器などのメンテナンスが非常にやりにくいという問題がある。
【００１０】
本発明は上記事情に鑑み、表示部の文字が見えにくかったり文字が透けて見えたりすること防止でき、装置の設置やメンテナンスが容易である歩行者用押ボタン箱を提供することを目的とする。
また、本発明は、歩行者用押ボタン箱の表示部に適した色弱の方に優しい歩行者用押ボタン箱用表示器を提供することを目的とする。
【課題を解決するための手段】
【００１１】
第１発明の歩行者用押ボタン箱は、情報を表示する表示部を備えた歩行者用押ボタン箱であって、正面が開口した本体部と、該本体部の開口を覆うように設けられた正面カバーと、を備えており、該正面カバーは、その上端を支点として、その下端が上下に揺動可能に設けられていることを特徴とする。
第２発明の歩行者用押ボタン箱は、第１発明において、外部機器および／または前記表示部と配線によって連結される端子台が、前記本体部の内部上方に配設されており、前記表示部は、エッジライト方式を採用した表示器を備えていることを特徴とする。
第３発明の歩行者用押ボタン箱は、第２発明において、前記正面カバーの正面上部を囲むように、庇部が設けられており、該庇部は、前記正面カバーの正面からの突出量が１５ｍｍ以上となるように形成されていることを特徴とする。
第４発明の歩行者用押ボタン箱は、第１、第２または第３発明において、前記正面カバーは、前記本体部と丁番によって連結されており、該丁番は、前記本体部に固定された固定プレートと、前記正面カバーに固定された移動プレートと、該移動プレートと前記固定プレートとを揺動可能に連結する連結軸と、を備えており、前記移動プレートは、前記固定プレートに対して、前記連結軸の軸方向に沿って接近離間可能となるように該連結軸を介して連結されており、前記正面カバーを前記本体部に対して上方まで揺動させかつ前記移動プレートを前記固定プレートに対して離間させた場合において、前記正面カバーの下方への揺動を規制する揺動規制機構が設けられていることを特徴とする。
第５発明の歩行者用押ボタン箱は、第４発明において、前記移動プレートは、前記固定プレートに対して前記連結軸の軸方向に沿って移動させると、前記固定プレートに対して着脱可能となるように設けられており、前記正面カバーが前記本体部に対して下方に揺動した状態において、前記固定プレートに対して前記移動プレートが前記連結軸の軸方向に沿って移動することを規制する軸方向移動規制機構が設けられていることを特徴とする。
第６発明の歩行者用押ボタン箱は、第１乃至第５発明のいずれかにおいて、前記本体部は前記正面カバーが揺動可能に連結される上部プレートと、該上部プレートを挟むように設けられた一対の側壁と、を有する正面が開口した中空な箱型の部材であり、前記正面カバーは、前記本体部に揺動可能に連結される上部プレートと、該上部プレートを挟むように設けられた一対の側壁と、を有する背面が開口した中空な箱型の部材であり、該正面カバーは、前記上部プレートおよび前記一対の側壁の後端によって囲まれた背面の開口から前記本体部をその内部に収容しうる大きさに形成されており、前記本体部の一対の側壁の外面には、前記本体部の正面を向きかつ該本体部の上下方向に沿って延びた側方連結面を有する段差が形成されており、前記正面カバーの一対の側壁の内面には、前記正面カバーの背面を向きかつ該正面カバーの上下方向に沿って延びた側方連結面を有する段差が形成されており、前記正面カバーの側方連結面および前記本体部の側方連結面は、前記本体部の開口を覆うように前記正面カバーが配置された状態において、両者が互いに対向する位置に形成されていることを特徴とする。
第７発明の歩行者用押ボタン箱は、第６発明において、前記本体部の上部プレートの外面には、前記本体部の正面を向きかつ該本体部の一対の側壁間を繋ぐように形成された上方連結面を有する段差が形成されており、前記正面カバーの上部プレートの内面には、前記正面カバーの背面を向きかつ該正面カバーの一対の側壁間を繋ぐように形成された上方連結面を有する段差が形成されており、前記正面カバーの上部連結面および前記本体部の上方連結面は、前記本体部の開口を覆うように前記正面カバーが配置された状態において、両者が互いに対向する位置に形成されており、前記本体部の上方連結面は前記本体部の側方連結面と連続し、前記正面カバーの上部連結面は前記正面カバーの側方連結面と連続するように設けられていることを特徴とする。
第８発明の歩行者用押ボタン箱は、第１乃至第７発明のいずれかにおいて、前記本体部は、該本体部の開口を覆うように前記正面カバーが配置された状態において、該本体部の下端部の先端面と、前記正面カバーの背面との間に隙間が形成されるように形成されていることを特徴とする。
第９発明の歩行者用押ボタン箱用表示器は、光によって情報を表示する表示器であって、情報が描かれた情報表示部と、該情報表示部の情報を隠蔽するカバー部と、からなる情報提示部と、該情報提示部の背面から光を供給する光源部と、を備えており、該光源部が、エッジライト方式を採用した光源であることを特徴とする。
第１０発明の歩行者用押ボタン箱用表示器は、第６発明において、前記表示器は、前記光源部からの光で前記情報表示部に表示される情報が、色弱の方でも視認できる色となるように調整されていることを特徴とする。
【発明の効果】
【００１２】
第１発明によれば、正面カバーを上方に揺動させれば本体部が開口した状態とすることができる。しかも、正面カバーが上方に揺動すると、表示部や押ボタン等と端子台とを連結する配線（内部配線）も上方に位置するので、本体部を開口させた状態において、外部から端子台に接続される配線（外部配線）と内部配線とが重ならない状態とすることができる。このため、内部の機器のメンテナンスや、最初の外部配線を端子台に接続する作業が容易になる。
第２発明によれば、端子台が本体部の内部上方に配設されているので、本体部が開口した状態において、その下部に形成される空間を大きくすることができる。また、表示部としてエッジライト方式を採用した表示器を使用しているので、表示器の厚さを薄くすることができる。このため、端子台および表示器を、両者が重なるような位置に配置した場合でも、両者を収容するために必要な空間を狭くすることができる。すると、歩行者用押ボタン箱自体の厚さも薄くすることができる。
第３発明によれば、庇状の部分の影によって表示部を覆うことができる領域が大きくなるので、表示部の文字が見やすくなるし、表示部の文字が透けて見えることを防止しやすくなる。しかも、歩行者用押ボタン箱自体の厚さが薄いので、庇部の突出量が長くなっても、歩行者用押ボタン箱の大きさを小さくすることができる。
第４発明によれば、正面カバーを上方に揺動させて、移動プレートを固定プレートに対して離間させれば、揺動規制機構によって、正面カバーを上方に揺動した状態のままで保持しておくことができる。すると、本体部を開口した状態のまま保持しておくために、正面カバーを作業者が支えておく必要がないので、作業者が作業を行いやすくなる。
第５発明によれば、正面カバーを上方に揺動させれば、移動プレートを固定プレートから取り外すことができる。すると、正面カバーを本体部から取り外すことができるので、作業性を向上することができる。しかも、正面カバーを下方に揺動した状態、つまり、本体部の開口を閉じた状態では、軸方向移動規制機構によって、固定プレートに対する移動プレートの移動が規制される。したがって、本体部の開口を閉じた状態では、本体部から正面カバーが外れることを防ぐことができる。
第６発明によれば、本体部の一対の側壁外面と正面カバーの一対の側壁内面との間を通って水が流れる際の、外部から歩行者用押ボタン箱の内部までの径路を長くすることができる。しかも、径路が、断面視で略クランク状になるので、正面カバーの側方連結面の位置で、本体部の側壁外面に沿った水の流れを遮ることができる。したがって、正面カバーの側壁の内面と本体部の側壁の外面との間の隙間に侵入した水が、正面カバーの側方連結面より内方に侵入することを防止できる。しかも、正面カバーの側方連結面は上下方向に沿うように配置されるので、正面カバーの側方連結面まで到達した水を正面カバーの側方連結面に沿って下方に流して外部に排出することができる。つまり、正面カバーの側壁の内面と本体部の側壁の外面との間に侵入した水が歩行者用押ボタン箱内に侵入することを防ぎつつ、水を外部に効果的に排出することができる。
第７発明によれば、本体部の上部プレートの外面と正面カバーの上部プレートの内面との間を通って水が流れる際の、外部から歩行者用押ボタン箱の内部までの径路を長くすることができる。しかも、径路が、断面視で略クランク状になるので、正面カバーの上部連結面の位置で、本体部の上部プレートの外面に沿った水の流れを遮ることができる。正面カバーの上部プレートの内面と本体部の上部プレートの外面との間の隙間に侵入した水が、歩行者用押ボタン箱内に侵入することに侵入することを防止できる。しかも、正面カバーの上部連結面まで到達した水を、正面カバーの上部連結面に沿って移動させて、正面カバーの側方連結面の位置まで導くことができる。したがって、正面カバーの側方連結面に沿って水を外部に排出することができる。つまり、正面カバーの上部プレートの内面と本体部の上部プレートの外面との間に侵入した水が歩行者用押ボタン箱内に侵入することを防ぎつつ、水を外部に効果的に排出することができる。
第８発明によれば、本体部の下端部の先端面と正面カバーの背面との間に形成された隙間から、歩行者用押ボタン箱内に侵入した水を排出することができる。すると、水抜き穴を形成する手間が省けるので、本体部等の加工工数を少なくできる。しかも、形成される隙間を調整すれば、隙間の幅を通常の水抜き穴の直径よりも短くしても、開口面積を水抜き穴を設けた場合と同等以上にすることも可能となる。したがって、歩行者用押ボタン箱からの排水性を維持または向上しつつ、歩行者用押ボタン箱内に外部から虫や水などが侵入しにくくすることができる。
第９発明によれば、光源部がエッジライト方式を採用した光源であるので、表示器を薄い板状に形成することができる。すると、既存の歩行者用押ボタン箱に取り付けられている表示器と取り替えても、歩行者用押ボタン箱内に確実に収めることができる。
第１０発明によれば、光源部からの光で情報提示部に表示される情報が、色弱の方でも視認できるように調整されているので、既存の歩行者用押ボタン箱の表示部と交換すれば、既存の歩行者用押ボタン箱を、簡単に色弱の方に対応した歩行者用押ボタン箱とすることができる。
【図面の簡単な説明】
【００１３】
【図１】本実施形態の歩行者用押ボタン箱１の概略外観図であって、（Ａ）は斜視図であり、（Ｂ）は正面図である。
【図２】本実施形態の歩行者用押ボタン箱１を信号柱Ｐに取り付けた状態において、正面カバー２０を上方に揺動した状態の概略斜視図である。
【図３】本実施形態の歩行者用押ボタン箱１を信号柱Ｐに取り付けた状態において、正面カバー２０を上方に揺動した状態の概略斜視図である。
【図４】本実施形態の歩行者用押ボタン箱１を信号柱Ｐに取り付けた状態の概略側面図であって、（Ａ）は正面カバー２０を上方に揺動した状態の説明図であり、（Ｂ）は正面カバー２０を下方に揺動した状態の説明図である。
【図５】（Ａ）は本実施形態の歩行者用押ボタン箱１の正面カバー２０を上方に揺動した状態の概略断面図であり、（Ｂ）は正面カバー２０を下方に揺動した状態の概略断面図である。
【図６】本実施形態の歩行者用押ボタン箱１を信号柱Ｐに取り付けた状態の概略正面図であって、（Ａ）は正面カバー２０を上方に揺動しただけの状態の説明図であり、（Ｂ）は正面カバー２０を上方に揺動した後、丁番５の移動プレート７が固定プレート６から離間するように正面カバー２０移動させた状態の説明図である。
【図７】丁番５の概略拡大図であり、（Ａ）は正面カバー２０を上方に揺動しただけの状態の説明図であり、（Ｂ）は正面カバー２０を上方に揺動した後、丁番５の移動プレート７が固定プレート６から離間するように正面カバー２０移動させた状態の説明図である。
【図８】（Ａ）は本体部１０の単体正面図であり、（Ｂ）は正面カバー２０の単体背面図である。
【図９】表示器３１の概略説明図であって、（Ａ）は正面図であり、（Ｂ）（Ａ）のＢ−Ｂ線断面図である。
【発明を実施するための形態】
【００１４】
つぎに、本発明の実施形態を図面に基づき説明する。
本実施形態の歩行者用押ボタン箱１は、車両用信号機の信号柱Ｐに取り付けて使用されるものである。この本実施形態の歩行者用押ボタン箱１は、配線ＬＷによって、車両用信号機の作動を制御する交通信号制御器に電気的に接続されている。そして、歩行者用押ボタン箱１に設けられている押ボタン３が歩行者等によって押されると、交通信号制御器によって車両用信号機の点灯色を切り替える制御が行われるように構成されている。
つまり、本実施形態の歩行者用押ボタン箱１は、押ボタン式信号機を操作するための操作用押ボタンが設けられている箱である。
【００１５】
（本実施形態の歩行者用押ボタン箱１の概略構造の説明）
以下、本実施形態の歩行者用押ボタン箱１（以下、単に歩行者用押ボタン箱１という）の構成を説明するが、歩行者用押ボタン箱１を構成する各部の構造を説明する前に、歩行者用押ボタン箱１が有する一般的な構成を簡単に説明する。
【００１６】
図１に示すように、歩行者用押ボタン箱１の正面には、押ボタン３、表示部３０、および案内表示４が設けられている。
【００１７】
まず、押ボタン３は、車両用信号機の点灯色を切り替えるために歩行者等によって押されるボタンである。この押ボタン３を押すことによって、交通信号制御器に信号が送信され、交通信号制御器によって車両用信号機の点灯色を切り替える制御が行われる。
【００１８】
表示部３０は、押ボタン３が押されると情報を表示するように構成されたものである。この表示部３０は光源３５を備えた表示器３１を有しており、押ボタン３が押されると光源３５の光によって情報を表示するようになっているが、詳細は後述する。
【００１９】
案内表示４は、押ボタン３の操作を案内する情報が表示されたものである。図１では、歩行者用押ボタン箱１の本体部１０の表面を削って形成された凹凸によって、所定のメッセージを表示した例を示している。
なお、案内表示４は上記の構造に限られず、情報を表示する種々の方法を採用することができる。例えば、表示部３０と同様に、光源からの光によって文字および／または図柄など情報を表示する表示器を設けて案内表示４を構成してもよいし、情報が印刷等された金属プレート等を本体部１０の表面に貼り付けて案内表示４としてもよい。
【００２０】
また、歩行者用押ボタン箱１は、歩行者用押ボタン箱１を信号柱Ｐに固定するための固定用ブラケット２を備えている。この固定用ブラケット２は歩行者用押ボタン箱１の背面に設けられており、固定ベルトｖなどを使用して信号柱Ｐに固定することができるような構造を有している。
【００２１】
この固定用ブラケット２の構造はとくに限定されないが、例えば、以下のような構造とすることができる。
【００２２】
図４に示すように、固定用ブラケット２は、一対の板状部材２ａ，２ａを備えており、各板状部材２ａの基端が歩行者用押ボタン箱１の背面に固定されている。また、一対の板状部材２ａ，２ａは、その先端が互いに離間する方向に向けて（つまり外方に向けて）曲げられている。そして、一対の板状部材２ａ，２ａにおける先端と基端の間の側面には、この側面を貫通する貫通孔ｐが形成されている。
【００２３】
このため、一対の板状部材２ａ，２ａの先端を信号柱Ｐの側面に当てた状態で、一対の板状部材２ａ，２ａの貫通孔ｐに固定ベルトｖを通して、この固定ベルトｖを信号柱Ｐに巻きつける。すると、一対の板状部材２ａ，２ａを信号柱Ｐに固定できる。つまり、固定用ブラケット２を介して、歩行者用押ボタン箱１を信号柱Ｐに固定できるのである。
【００２４】
なお、歩行者用押ボタン箱１を信号柱Ｐに固定する方法はとくに限定されず、金具やベルトを利用せずに、ビスなどによって固定してもよい。また、歩行者用押ボタン箱１を固定する対象は、信号柱に限られず、電柱等にも固定される。また、歩行者用押ボタン箱１を設置するために専用に立設された柱（自立ポール）に歩行者用押ボタン箱１を設置する場合もある。
また、図示しないが、歩行者用押ボタン箱１の側面に反射板などを貼り付けてもよい。すると、自動車のヘッドライト等が当たれは反射板が光るので、夜間でも、歩行者が歩行者用押ボタン箱１を認識しやすくなる。また、自動車の運転手も、反射板が光ることによって、信号柱Ｐの存在や歩行者が横断する可能性があることを把握しやすくなる。
さらに、歩行者用押ボタン箱１を夜間に認識しやすくするのであれば、歩行者用押ボタン箱１の塗料として、蓄光塗料を使用することも有効である。
【００２５】
（歩行者用押ボタン箱１の構造の詳細な説明）
つぎに、歩行者用押ボタン箱１の構造について詳細に説明する。
まず、図２〜図６、図８に示すように、歩行者用押ボタン箱１は、本体部１０と正面カバー２０とを備えている。
なお、図５および図６では、構造をわかりやすくするために、配線ＬＷおよび配線ＣＷは記載を割愛している。
【００２６】
（本体部１０の説明）
本体部１０は、正面に開口を有する略箱状の部材である。この本体部１０は、背面プレート１１と、この背面プレート１１の左右に設けられた一対の側壁１２，１２と、背面プレート１１の上端に設けられた上部プレート１３と、背面プレート１１の下端に設けられた下部プレート１４と、を備えている。そして、背面プレート１１の前面側に、一対の側壁１２，１２、上部プレート１３および下部プレート１４によって囲まれた収容空間10hが形成されている（図８（Ａ）参照）。
【００２７】
この本体部１０の収容空間10h内には、その背面プレート１１の上部に一対の台座11b，11bが設けられており、この一対の台座11b，11bには、端子台Ｔが取り付けられている（図５（Ｂ）参照）。この端子台Ｔは、押ボタン３や表示部３０と交通信号制御器とを電気的に接続するために設けられているものである。
【００２８】
具体的には、押ボタン３や表示部３０から延びた導線ＣＷの一端が端子台Ｔの端子に接続されており、また、交通信号制御器から延びた配線ＬＷの一端も端子台Ｔの端子に接続されている（図２、図３参照）。そして、端子台Ｔにおける所定の端子に各線を接続すると、押ボタン３からの信号を表示部３０や交通信号制御器に相互に送信でき、また、交通信号制御器から押ボタン３や表示部３０に対して電力を供給できるようになっている。
【００２９】
（正面カバー２０の説明）
正面カバー２０は、背面に開口を有する略箱状の部材である。この正面カバー２０は、正面プレート２１と、その左右に設けられた一対の側壁２２，２２と、正面プレート２１の上端に設けられた上部プレート２３と、を備えている。そして、背面プレート１１の背面側には、一対の側壁２２，２２、上部プレート２３によって囲まれた収容空間20hが形成されている（図８（Ｂ）参照）。
【００３０】
図８に示すように、正面カバー２０は、一対の側壁２２，２２の内面間の距離Ｗ２が、前記本体部１０の一対の側壁１２，１２の外面間の距離Ｗ１よりも若干長くなるように形成されている。
【００３１】
しかも、正面カバー２０の上部プレート２３の内面から、正面カバー２０の下端までの距離Ｈ２が、前記本体部１０の上部プレート１３の上面から下部プレート１４の下面までの距離Ｈ１よりも若干長くなるように形成されている。
【００３２】
そして、正面カバー２０の正面プレート２１の背面から、正面カバー２０の後端までの距離Ｄ２が、前記本体部１０の背面プレート１１の背面から下部プレート１４の先端までの距離Ｄ１と同等程度となるように設けられている（図５参照）。
【００３３】
このため、正面カバー２０の正面プレート２１の背面と本体部１０の背面プレート１１の前面とが対向するように両者を重ねると、正面カバー２０の収容空間20h内に本体部１０が収容された状態とすることができる。つまり、正面カバー２０を本体部１０に被せれば、正面カバー２０によって本体部１０の開口を閉じた状態とすることができるのである（図４（Ｂ）、図５（Ｂ）参照）。
【００３４】
なお、両者を重ね合わせた状態では、正面カバー２０の正面プレート２１の背面と本体部１０の背面プレート１１の前面との間に、中空な空間１ｈを形成することができる（図５（Ｂ）参照）。そして、距離Ｄ１と距離Ｄ２とがほぼ同等であるので、空間１ｈは、距離Ｄ１から本体部１０の背面プレート１１の厚さを除いた長さと同等程度の長さの奥行きＤ３（図５では左右方向の長さ）を有する空間とすることができる。
【００３５】
また、図４および図５に示すように、本体部１０と正面カバー２０は、本体部１０の上端を支点として正面カバー２０が上下方向に揺動できるように、丁番５によって連結されている。
【００３６】
具体的には、以下のような構造で、本体部１０と正面カバー２０とが丁番５によって連結されている。
【００３７】
図７に示すように、本体部１０の上部プレート１３の上面には、その後端縁を切り取るように凹み部13gが設けられている。この凹み部13gは、本体部１０の左右方向の中央部に設けられている。
一方、正面カバー２０の上部プレート２３の内面には、その先端縁を切り取るように凹み部23gが設けられている。この凹み部23gは、正面カバー２０の左右方向の中央部に設けられている。
そして、各凹み部13g，23gには、丁番５の一対のプレート５ａ，５ｂがそれぞれ取り付けられている。
【００３８】
丁番５は、正面カバー２０を本体部１０に被せた状態において、丁番５が閉じた状態（図５（Ｂ）参照）となるように取り付けられている。しかも、丁番５が閉じた状態において、丁番５の一対のプレート５ａ，５ｂを連結する軸５ｃが、本体部１０の背面プレート１１よりも外方かつ正面カバー２０の上部プレート２３の先端よりも外方に位置するように取り付けられている。さらに、本体部１０と正面カバー２０とが丁番５によって連結された状態において、本体部１０を幅方向で２等分する面と正面カバー２０を幅方向で２等分する面とが同一面となるように、丁番５の一対のプレート５ａ，５ｂは両凹み部13g，23gに取り付けられる。
【００３９】
このため、丁番５の軸５ｃを支点として、正面カバー２０を本体部１０に対して上下方向に揺動させることができる。
【００４０】
そして、丁番５を上述したような配置となるように取り付けているので、正面カバー２０を下方に揺動させれば、正面カバー２０を本体部１０に被せた状態、つまり、正面カバー２０によって本体部１０の開口を閉じた状態とすることができる（図５（Ｂ）参照）。しかも、正面カバー２０を上方に揺動させれば（言い換えれば、本体部１０を開口すれば）、正面カバー２０全体を本体部１０の上方まで移動させることができる（図５（Ａ）参照）。
【００４１】
ここで、正面カバー２０の正面プレート２１には、押ボタン３が取り付けられる孔21hや、表示部３０が取り付けられる窓21wが形成されている。そして、孔21hを挿通するように押ボタン３が取り付けられており、正面プレート２１の窓21wの開口を背面から覆うように表示部３０の表示器３１が取り付けられている。そして、押ボタン３や表示器３１と端子台Ｔとが導線ＣＷによって連結されているので、本体部１０を開口すれば導線ＣＷが露出する。
【００４２】
しかし、この状態では、正面カバー２０は本体部１０よりも上方に位置しているので、導線ＣＷは本体部１０の開口の上方に位置する（図３、図４（Ａ）参照）。すると、本体部１０が開口した状態において、交通信号制御器から延びた配線ＬＷと導線ＣＷとが重ならない状態とすることができる。したがって、押ボタン３や表示器３１のメンテナンスや、配線ＬＷや導線ＣＷと端子台Ｔとの結線状況の確認やメンテナンスが容易になる。
【００４３】
また、歩行者用押ボタン箱１を信号柱Ｐに取り付けた状態で配線ＬＷを端子台Ｔに接続するような場合でも、導線ＣＷが邪魔にならないので、歩行者用押ボタン箱１の設置作業も容易かつ迅速に行うことができる。
【００４４】
とくに、丁番５として、一対のプレート５ａ，５ｂが軸５ｃの軸方向に沿って互いに接近離間できるものを使用することが好ましい。
【００４５】
例えば、プレート５ａとプレート５ｂが、いずれも軸５ｃに対して回転可能に取り付けられる筒状部を有しており、しかも、プレート５ａの筒状部は軸５ｃに対してその軸方向には移動できないが、プレート５ｂの筒状部が軸５ｃに対してその軸方向には移動できるように設けられている丁番５を使用する。
かかる丁番５を設けた場合には、正面カバー２０全体が本体部１０よりも上方に位置するまで、正面カバー２０を上方に揺動させる（図６（Ａ）、図７（Ａ））。
【００４６】
そして、その状態から、プレート５ｂの筒状部がプレート５ａの筒状部から離間するように移動させる。つまり、本体部１０に対して、正面カバー２０が本体部１０の幅方向において若干ズレた状態となるように移動させる（図６（Ｂ）、図７（Ｂ））。具体的には、本体部１０に正面カバー２０を被せた状態において、少なくとも本体部１０の側壁１２外面からこの側壁１２と対向する正面カバー２０の側壁１２内面までの距離よりも大きく移動させる。
すると、その状態から正面カバー２０が下方に揺動しても、正面カバー２０の側壁１２が本体部１０の上部プレート１３の上面に載った状態となる（図６（Ｂ））。
【００４７】
このため、正面カバー２０はそれ以上下方に揺動できなくなるので、作業者が支えなくでも、正面カバー２０を上方に揺動した状態のまま保持しておくことができる。すると、本体部１０を開口した状態で作業をする場合に、開口状態を保持しておくために、作業者が正面カバー２０を支えておく必要がないので、作業者が作業を行いやすくなる。
【００４８】
とくに、プレート５ｂの筒状部が完全に軸５ｃから取り外すことができるようになっていることが好ましい。この場合には、正面カバー２０を本体部１０から完全に取り外すことができるので、正面カバー２０に取り付けられている押ボタン３や表示部３０の交換や押ボタン３や表示部３０に対して手間のかかる作業を行う場合に、作業が行い易くなるという利点が得られる。
【００４９】
かかる丁番５を使用した場合には、正面カバー２０全体が本体部１０よりも上方に位置するまで、プレート５ｂの筒状部が軸５ｃから完全に外れないようにしておくことが望ましい。すると、正面カバー２０を上方に揺動させている際や、正面カバー２０が下方に揺動した状態、つまり、本体部１０の開口を閉じた状態において、本体部１０から正面カバー２０が外れることを防ぐことができる。
【００５０】
正面カバー２０を上方に揺動させている際や、正面カバー２０が下方に揺動した状態、つまり、本体部１０の開口を閉じた状態において、本体部１０から正面カバー２０が外れることを防ぐ方法は特に限定されない。軸５ｃの軸方向におけるプレート５ａに対するプレート５ｂの移動を規制できるのであれば、どのような方法を採用してもよい。
【００５１】
例えば、本体部１０の側壁１２および正面カバー２０の側壁２２を、正面カバー２０全体が本体部１０よりも上方に位置するまでは両者が側面視で重なっている部分があるような形状や大きさにすれば、上記効果を得ることができる。
【００５２】
上記丁番５のプレート５ａが特許請求の範囲にいう固定プレートに相当し、上記丁番５のプレート５ｂが特許請求の範囲にいう移動プレートに相当する。
また、本体部１０の上部プレート１３と正面カバー２０の一方の側壁２２（図２、図３、図６（Ｂ）では右側の側壁２２）が特許請求の範囲にいう揺動規制機構を構成している。
さらに、本体部１０の側壁１２と正面カバー２０の側壁２２が特許請求の範囲にいう軸方向移動規制機構を構成している。
【００５３】
なお、正面カバー２０を上方に揺動した状態のまま保持しておくだけであれば、上述したような丁番５を設けなくても、正面カバー２０の側壁１２と本体部１０の上部プレート１３の上面との間に板などを挟めばよい。しかし、上述したような丁番５を設けておけば、両者の間に挟む部材がなくてもよいので、簡単かつ迅速に正面カバー２０を上方に揺動し保持された状態とすることができるので好ましい。
【００５４】
（本体部１０と正面カバー２０の固定）
通常の使用時には、本体部１０と正面カバー２０は両者が揺動できないように固定される。両者を固定する方法はとくに限定されず、どのような方法を用いてもよい。
例えば、正面カバー２０に貫通孔を設け、正面カバー２０を本体部１０に被せたときに、本体部１０において貫通孔と対応する位置にネジ穴を形成しておく。すると、ボルト等を正面カバー２０の貫通孔を通して本体部１０のネジ穴に螺合すれば、本体部１０と正面カバー２０とを固定することができる。
【００５５】
ところで、このようにボルトを利用して本体部１０と正面カバー２０とを固定する場合、正面カバー２０の表面にボルトの頭が配置される。かかるボルトの頭が正面カバー２０の正面や側面に配置されると、押ボタン箱用表示器１を見たときの外観が悪くなる。
【００５６】
しかし、以下のような構造とすれば、ボルトを利用して本体部１０と正面カバー２０とを固定しても、押ボタン箱用表示器１を見たときにボルトの頭が視認されにくいので、押ボタン箱用表示器１の外観を向上させることができる。
【００５７】
図５および図８に示すように、正面カバー２０の正面プレート２１の背面には、一対の固定突起21pが設けられている。この一対の固定突起21p，21pの下面、つまり、正面カバー２０を本体部１０に被せた状態において、正面カバー２０の下部プレート２４の内面と対向する面には、ネジ穴が形成されている。
【００５８】
一方、正面カバー２０の下部プレート２４において、一対の固定突起21p，21pの下面と対応する位置には、一対の貫通孔24h，24hが形成されている。この一対の貫通孔24h，24hは、正面カバー２０を本体部１０に被せた状態において、その中心軸が一対の固定突起21p，21pの下面に形成されているネジ穴の中心軸とほぼ同軸とすることができるように設けられている。
【００５９】
このため、正面カバー２０を本体部１０に被せた状態において、下部プレート２４の外面（下面）からボルトＢを一対の貫通孔24h，24hを通して、ボルトＢを一対の固定突起21p，21pのネジ穴に螺合すれば、本体部１０に対して正面カバー２０を固定することができる。
【００６０】
しかも、下部プレート１４の下面からボルトＢを挿通しているので、押ボタン箱用表示器１を見ても、ボルトＢの頭は見えにくい。したがって、ボルトＢによって本体部１０に対して正面カバー２０を固定しても、押ボタン箱用表示器１の外観をすっきりさせることができる。
【００６１】
（本体部１０と正面カバー２０のシール性）
本実施形態の歩行者用押ボタン箱１は屋外に設置されるものである。このため、雨などから内部の電子機器を保護するために、歩行者用押ボタン箱１内に雨水などが侵入しないように、両者の間がシールされていることが好ましい。
【００６２】
例えば、上述したような構造を有する場合には、各凹み部13g，23gの深さを、丁番５の一対のプレート５ａ，５ｂの厚さよりも深くしておく。すると、正面カバー２０を本体部１０に被せたときに、正面カバー２０の上部プレート２３の内面と本体部１０の上部プレート１３の外面とがほぼ面接触した状態になる（図５（Ｂ）参照）。また、正面カバー２０の正面プレート２１の内面と本体部１０の下部プレート１４の先端面とがほぼ面接触した状態になる（図５（Ｂ）参照）。一方、正面カバー２０の一対の側壁２２，２２の内面と本体部１０の一対の側壁１２，１２の外面との間には、若干の隙間が形成される。
このため、この隙間を埋めるように、正面カバー２０の一対の側壁２２，２２の内面および／または本体部１０の一対の側壁１２，１２の外面に棒状や板状のゴムなどのシール部材を設けてもよい。すると、正面カバー２０と本体部１０との隙間から、雨水などが歩行者用押ボタン箱１内に入りにくくすることができる。
もちろん、正面カバー２０の上部プレート２３の内面および／または本体部１０の上部プレート１３の外面にも、両者間に隙間ができないように、棒状や板状のゴムなどのシール部材を設けてもよい。この場合、正面カバー２０を本体部１０に被せたときに、正面カバー２０の自重などによってゴムシール等が押しつぶされる。すると、正面カバー２０の上部プレート２３の内面と本体部１０の上部プレート１３の外面との間のシール性を高めることができる。
また、正面カバー２０の正面プレート２１の背面および／または本体部１０の下部プレート１４の先端面にも、両者間に隙間ができないように、棒状や板状のゴムなどのシール部材を設けてもよい。すると、正面カバー２０を本体部１０に被せたときに、両者間で隙間ができないので、歩行者用押ボタン箱１内に雨水などが侵入する可能性を低くすることができる。
【００６３】
また、正面カバー２０の一対の側壁２２，２２の内面と本体部１０の一対の側壁１２，１２の外面の両方に段差を設けて、正面カバー２０を本体部１０に被せると、両者の段差同士が組み合わされるようにしてもよい。
つまり、本体部１０の一対の側壁１２，１２の外面に、本体部１０の正面を向きかつ本体部１０の上下方向に沿って延びた側方連結面12cを有する段差を形成する。言い換えれば、側方連結面12cを本体部１０の一対の側壁１２，１２と交差する側方連結面22cが形成されるように段差を形成する（図２、図３、図８参照）。
一方、正面カバー２０の一対の側壁２２，２２の外面に、正面カバー２０の背面を向きかつ正面カバー２０の上下方向に沿って延びた側方連結面22cを有する段差を形成する。言い換えれば、側方連結面22cを正面カバー２０の一対の側壁２２，２２と交差する側方連結面22cが形成されるように段差を形成する（図２、図３、図８参照）。
そして、側方連結面22cおよび側方連結面12cは、正面カバー２０を本体部１０に被せたときに、両者が互いに対向するように形成する。好ましくは、両者が面接触するように形成する。
【００６４】
外部から歩行者用押ボタン箱１の内部に侵入する場合、本体部１０の一対の側壁１２，１２の外面と正面カバー２０の一対の側壁２２，２２の内面との間を通って流れる。上記のごとき段差を設ければ、水が流れる際の、外部から歩行者用押ボタン箱１の内部までの径路を長くすることができる。しかも、この径路は、断面視で略クランク状になるので、正面カバー２０の側方連結面22cの位置で、本体部の側壁外面に沿った水の流れを遮ることができる。
【００６５】
したがって、正面カバー２０の側壁２２の内面と本体部１０の側壁１２の外面との間の隙間に侵入した水が、正面カバー２０の側方連結面22cより内方に侵入することを防止できる。しかも、正面カバー２０の側方連結面22cは上下方向に沿うように配置されるので、正面カバー２０の側方連結面22cまで到達した水を正面カバー２０の側方連結面22cに沿って下方に流して外部に排出することができる。つまり、正面カバー２０の側壁２２の内面と本体部１０の側壁１２の外面との間に侵入した水が歩行者用押ボタン箱１内に侵入することを防ぎつつ、水を外部に効果的に排出することができる。
【００６６】
とくに、側方連結面12cと側方連結面22cを設けた上で、側方連結面12cおよび／または側方連結面22cに棒状や板状のゴムなどのシール部材を設ければ、シール性をさらに高くすることができる。しかも、この構造の場合、正面カバー２０と本体部１０とを連結したときに、シール部材が若干圧縮されるようにしておくことが好ましい。すると、正面カバー２０と本体部１０とを連結した状態でのシール性を高めることができる。なお、かかる状態とするには、シール部材を設けずに正面カバー２０と本体部１０とを連結した状態で側方連結面12cと側方連結面22cとの間に形成される隙間よりも、シール部材の厚さを厚くしておけばよい。
【００６７】
また、上述したように、正面カバー２０を本体部１０に被せたときに、正面カバー２０の上部プレート２３の内面と本体部１０の上部プレート１３の外面とがほぼ面接触する。このため、正面カバー２０の上部プレート２３の内面および本体部１０の上部プレート１３の外面に、上述した側壁２２，２１のような段差を設けなくても、ある程度のシール性は維持することができる。しかし、正面カバー２０の上部プレート２３の内面および本体部１０の上部プレート１３の外面にも、側壁２２，２１に形成された段差と実質的に同様な構造を有する段差を設ければ、さらにシール性を高くすることができる。
つまり、本体部１０の上部プレート１３の外面に、本体部１０の正面を向きかつ本体部１０の一対の側壁１２，１２間を繋ぐように形成された上方連結面13cを有する段差を形成する（図５、図８参照）。また、正面カバー２０の上部プレート２３の内面に、正面カバー２０の背面を向きかつ正面カバー２０の一対の側壁２２，２２間を繋ぐように形成された上方連結面23cを有する段差を形成する（図５、図８参照）。
そして、上方連結面23cおよび上方連結面13cは、正面カバー２０を本体部１０に被せたときに、両者が互いに対向するように形成する。好ましくは、両者がほぼ面接触するように形成する。
【００６８】
すると、本体部１０の上部プレート１３の外面と正面カバー２０の上部プレート２３の内面との間を通って水が流れる際の、外部から歩行者用押ボタン箱の内部までの径路を長くすることができる。しかも、径路が、断面視で略クランク状になるので、正面カバー２０の上部プレート２３の上方連結面23cの位置で、本体部１０の上部プレート１３の外面に沿った水の流れを遮ることができる。
【００６９】
とくに、連結面23cと連結面22cとが連続した面となるように形成することが好ましい。この場合、連結面23cで侵入を防止した水を、連結面23cに沿って移動させつつ、連結面22cの位置まで導くことができるので、連結面22cに沿って水を外部に排出することができる。つまり、正面カバー２０の上部プレート２３の内面と本体部１０の上部プレート１３の外面との間に侵入した水が歩行者用押ボタン箱１内に侵入することを防ぎつつ、水を適切に外部に排出することができる。
【００７０】
そして、正面カバー２０の上部プレート２３の内面および本体部１０の上部プレート１３の外面に段差を設けた場合でも、連結面13cおよび／または連結面23cに棒状や板状のゴムなどのシール部材を設ければ、シール性をさらに高くすることができる。
【００７１】
棒状のゴムをシールとして使用する場合には、本体部１０の連結面12cおよび連結面13cに沿って棒状のゴムパッキンｇを配置することが好ましいが、その配設方法として、例えば、以下のような方法で配設することができる。
図８に示すように、一対の側壁１２，１２の下部において、連結面12cの近傍にそれぞれ、本体部１０内と外部との間を貫通する貫通孔14tを形成しておく。そして、棒状のゴムパッキンｇの一端部を前述した一方の貫通孔14tから本体部１０内に入れた状態で、棒状のゴムを引っ張りながら、連結面12cおよび連結面13cに沿って棒状のゴムパッキンｇを配置する。つまり、棒状のゴムパッキンｇが連結面12cおよび連結面13cと接触した状態となるように、連結面12cおよび連結面13cに沿って棒状のゴムパッキンｇを配置する。そして、棒状のゴムパッキンｇの他端部を他方の貫通孔から本体部１０内に入れた状態で、棒状のゴムパッキンｇの両端部を、圧着スリーブで連結したりくくったりすれば、棒状のゴムパッキンｇを本体部１０の所定の位置に配置して取り付けることができる（図２〜図５参照）。
なお、棒状のゴムパッキンｇは、その両端部を連結しなくてもよく、その端部が貫通孔14tから抜けないようになっていればよい。例えば、棒状のゴムパッキンｇの一端部を一方の貫通孔14t内に入れた状態でこの一端部において本体部１０の内部にある部分に結び目などの抜け防止構造を設け、同様に、棒状のゴムパッキンｇの他端部にも他方の貫通孔14tから本体部１０内に入れた状態でこの他端部において本体部１０の内部にある部分に結び目などの抜け防止構造を設ける。すると、棒状のゴムパッキンｇの両端部が貫通孔14tから抜けないので、本体部１０の所定の位置に配置して取り付けることができる。
また、棒状のゴムパッキンｇを取り付ける方法はとくに限定されず、棒状のゴムパッキンｇを連結面12cおよび連結面13cに接着して固定してもよい。棒状のゴムパッキンｇ以外のシール部材（例えば、ゴム板等）も、連結面12cおよび連結面13cに接着すれば、簡単に連結面12cおよび連結面13cに固定することができる。
【００７２】
また、上述したような構造としても、雨水などが歩行者用押ボタン箱１内に完全に入らないようにすることは難しい。一方、上述したような構造とした場合、歩行者用押ボタン箱１内に入った水を排出することが難しくなる。したがって、歩行者用押ボタン箱１には、水抜き穴を設けておくほうが好ましい。もちろん、水抜き穴は、雨水などが入りにくい位置や形状、大きさに形成されるのはいうまでもない。
【００７３】
また、水抜き穴を設ける代わりに、正面カバー２０を本体部１０に被せたときに、両者間に隙間ができるようにしてもよい。例えば、正面カバー２０を本体部１０に被せたときに、正面カバー２０の正面プレート２１の内面と本体部１０の下部プレート１４の先端面との間に隙間ができるような構造として、その隙間を水抜き用スリットとするようにしてもよい。この場合、水抜き穴を形成する手間が省けるので、本体部１０の加工工数を少なくできる。しかも、水抜き用スリットの幅を通常の水抜き穴の直径よりも短くしても、開口面積を水抜き穴を設けた場合と同等以上にすることも可能となる。したがって、歩行者用押ボタン箱１からの排水性を維持または向上しつつ、歩行者用押ボタン箱１内に外部から虫や水などが侵入しにくくすることができる。例えば、水抜き用スリットの幅を１ｍｍ程度とした場合でも、本体部１０の幅が１０ｃｍ程度あれば、開口面積を１ｃｍ２とすることができる。この開口面積は、直径１ｃｍの孔の断面積と同等程度であり、直径５ｍｍの孔を５個の総断面積に相当する。直径１ｃｍや直径５ｍｍの孔であれば簡単に虫が内部に侵入できるが、幅が１ｍｍの隙間であれば虫が侵入しにくいので、排水性を確保しつつ、歩行者用押ボタン箱１内への虫の侵入を防止することができる。
【００７４】
（端子台Ｔの配置）
歩行者用押ボタン箱１において、端子台Ｔを設ける位置はとくに限定されないが、図２に示すように、端子台Ｔは本体部１０の上部に設けることが好ましい。交通信号制御器から延びた配線ＬＷは、通常、歩行者用押ボタン箱１の底（上記構成では本体部１０の下部プレート１４）に形成された孔から歩行者用押ボタン箱１内部に導入される。このため、端子台Ｔは本体部１０の上部に設けられていれば、配線ＬＷを端子台Ｔに接続する作業が行い易くなる。とくに、歩行者用押ボタン箱１では、正面カバー２０が上方に揺動して開口する。このため、端子台Ｔが本体部１０の上部に設けられていれば、本体部１０の開口を開けたときに、押ボタン３や表示部３０から延びた導線ＣＷが本体部１０の下部を覆わない。したがって、より一層、配線ＬＷを端子台Ｔに接続する作業が行い易くなる。
また、歩行者用押ボタン箱１内に水が入った場合などにおいて、端子台Ｔに水がかかったりすることを防ぐことができるので、漏電等の問題も生じにくくなる。
【００７５】
（配線ＬＷ用孔の配置）
また、本実施形態の歩行者用押ボタン箱１では、事前に孔を設けずに、現場において作業者が形成するようにすることができる。通常、歩行者用押ボタン箱では、箱の底部に、配線ＬＷを通す孔が事前に形成されている。このため、現場の状況によっては、配線ＬＷを孔に通しにくかったり、配線ＬＷの取り回しがやりにくかったりする場合がある。
しかし、本実施形態の歩行者用押ボタン箱１では、事前に孔を設けていないので、現場での設置状況に応じて、作業者が適切な位置に配線ＬＷを通す孔を形成することができる。しかも、歩行者用押ボタン箱１では、端子台Ｔは本体部１０の上部に設けられており、本体部１０の開口を開けたときに導線ＣＷが本体部１０の下部に位置しない。したがって、下部プレート１４に孔を形成する作業において、端子台Ｔや配線などを損傷する可能性が低くなるので、孔を形成する作業も容易になる。
【００７６】
（歩行者用押ボタン箱１の奥行き）
また、正面カバー２０には、その上部には表示部３０が設けられている。具体的には、正面カバー２０の正面プレート２１には、その上部に窓21wが設けられており、この窓21wを塞ぐように、正面プレート２１の背面には表示部３０の表示器３１が取り付けられている。このため、端子台Ｔは本体部１０の上部に設けると、端子台Ｔと表示器３１が接近し、両者が重なりあうように配置される可能性がある。すると、両者が接触したりしないように、正面カバー２０の正面プレート２１の背面と本体部１０の背面プレート１１の正面との距離を取らなければならなくなる。この距離が大きくなると、歩行者用押ボタン箱１の奥行き（つまり厚さ）を大きく取らなければならなくなる。
【００７７】
しかし、歩行者用押ボタン箱１では、表示器３１として、エッジライト方式を採用した光源３５を有するものを使用しているので（図９参照）、表示器３１全体の厚さを薄くすることができる。具体的には、表示器３１の厚さを、１０ｍｍ以下とすることもできる。
すると、正面カバー２０の正面プレート２１の背面と本体部１０の背面プレート１１の正面との距離Ｄ３（図５（Ｂ）参照）をそれほど大きくしなくても、端子台Ｔと表示器３１の接触を防ぐことができるから、歩行者用押ボタン箱１を薄くすることができる。
例えば、正面カバー２０の正面プレート２１の背面と本体部１０の背面プレート１１の正面との距離が３０〜４０ｍｍ程度であっても、端子台Ｔと表示器３１の接触しない状態とすることができる。
【００７８】
（庇部２５について）
そして、歩行者用押ボタン箱１には、通常、正面カバー２０の正面プレート２１の上部または全周を囲うように庇部２５を設けている。上述したように、歩行者用押ボタン箱１を薄くできれば、この庇部２５の長さ、つまり、庇部２５の先端が正面カバー２１の正面からの突出している量（突出量）を大きくすることができる。突出量が大きくなれば庇状２５によって正面カバー２１に影が形成される領域を大きくできるので、その影によって表示部３０を覆うことができる。すると、表示部３０の文字が見やすくなるし、表示部３０の文字が透けて見えることを防止できる。
【００７９】
しかも、上述したような表示器３１を採用したことによって、歩行者用押ボタン箱１自体の厚さが薄くできるので、庇部２５の突出量が長くなっても、歩行者用押ボタン箱１を薄くすることができる。すると、歩道を通行する歩行者や自転車等と接触する危険性が低くすることができる。
【００８０】
例えば、庇部２５の突出量は、１５ｍｍ以上であれば、正面カバー２１に影が形成される領域を大きくできる。したがって、表示部３０の文字をある程度見やすくでき、表示部３０の文字が透けて見えることを防止できる、という効果が得られる。とくに、歩行者用押ボタン箱１を薄型に維持しつつ上記効果をより確実に得るためには、庇部２５の突出量は、２０ｍｍ以上が好ましく、３０ｍｍ以上がより好ましい。
なお、庇部２５の突出量の上限はとくに限定されない。しかし、庇部２５の突出量があまり長くなると、庇部２５を除いた歩行者用押ボタン箱１の厚さを薄くできても、歩行者用押ボタン箱１全体の厚さが厚くなってしまう。このため、庇部２５の突出量は、５０ｍｍ程度までが現実的である。
したがって、庇部２５の突出量は、１５ｍｍ以上であればよく、２０ｍｍ〜５０ｍｍ、好ましくは３０ｍｍ〜５０ｍｍとすること可能であるが、表示部３０の文字の見えやすさ等と薄さとを両立する上では、３０ｍｍ〜４０ｍｍ程度が好ましい。
【００８１】
そして、庇部２５が上述したような突出量、とくに、３０ｍｍ以上程度あれば、押ボタン３として、キノコ型の押ボタンを採用することが可能となる。
キノコ型の押ボタン３は正面カバー２０の正面プレート２１からの突出量が大きくなるので、庇部の突出量が小さい場合、通行人などが誤って押ボタン３に触れてしまう可能性が高くなるという問題がある。このため、従来の歩行者用押ボタン箱の押ボタンとして採用できなかった。
しかし、庇部２５を上述したような突出量とすれば、キノコ型の押ボタンでも、庇部２５よりも突出している量を少なくできるので（図４（Ｂ）参照）、上記のごとき問題を防ぐことができる。
しかも、通常使用されている平型では、ボタンを指で押し込まなければならないため、お年寄りや子供、手の不自由な方は、ボタンを押しにくい。しかし、キノコ型の押ボタンであれば、押ボタン３を叩くようにしてもボタンを押すことができる。すると、お年寄りや子供、手の不自由な方でも、ボタンを押しやすくなるという利点も得られる。
【００８２】
また、庇部２５を設ける領域は特に限定されず、正面カバー２０の全周や、上端縁および両側端縁の全体に設けてもよい。また、正面カバー２０の上端縁ではその全域に庇部２５を設けるが、正面カバー２０の側端縁では、その上端からある程度の位置までにだけ庇部２５を設けるようにしてもよい。
また、庇部２５の突出量は、庇部２５の全体で同じ突出量としてもよいし、位置によって突出量を変化させてもよい。例えば、図５に示すように、正面カバー２０の側端縁に設けられている庇部２５を、上端から下端に向けて庇部２５の突出量が短くなるようにしてもよい。
【００８３】
（表示部３０）
表示部３０には、上述したようにエッジライト方式を採用した光源３５を有する表示器３１を備えている。以下、表示器３１の構造を説明する。
【００８４】
図９に示すように、表示器３１は、情報提示部３２と光源部３５とが積層されて略プレート状に形成されたものである。情報提示部３２および光源部３５は、平面視で長方形状に形成されており、その長さや幅がほぼ同じとなるように形成されている。
【００８５】
まず、情報提示部３２は、例えば、アクリル板やポリカーボネート樹脂板などの透明な板状の部材からなる表面プレート32aを備えている。
【００８６】
この表面プレート32aの背面には、カバー部32bが設けられている。このカバー部32bは、表面プレート32aを表面から見たときに背面側を見通せないようにするためのものである。カバー部32bは、例えば、着色フィルムなどのように通常の光では表面プレート32aを表面から見たときに背面側を見通せないが、背面側から光が照射されると、その光を表面側から見通せるようなものである。
【００８７】
カバー部32bの背面には、情報表示部32cが設けられている。この情報表示部32cは、後述する光源３５からの光が照射されると、所定の文字や図柄などの情報が表面プレート32aの表面側から視認できるように設けられたものである。
例えば、所定の色の塗料など使用して、カバー部32bの背面に所定の文字や図柄などの情報（図９であれば「おまちください」の文字）を印刷して、情報表示部32cを形成することができる。
また、遮光プレートなどに、所定の文字や図柄の形状を有する貫通孔を形成して、情報表示部32cとすることも可能である。
【００８８】
光源部３５は、光源を駆動する基板３６と、拡散板３７と、を備えている。
【００８９】
基板３６は、端子台Ｔに接続されており、押ボタン３からの信号や交通信号制御器からの信号によってＬＥＤ素子36aの点灯を制御する機能を有している。具体的には、押ボタン３が押されるとＬＥＤ素子36aを点灯させ、車両用信号機の点灯色変更が終了すると、交通信号制御器からの信号に基いてＬＥＤ素子36aを消灯させるように、ＬＥＤ素子36aの点灯を制御している。
【００９０】
この基板３６の表面には、複数のＬＥＤ素子36aが取り付けられている。具体的には、図９に示すように、ＬＥＤ素子36aが、基板３６の長手方向に沿って２列並んで設けられている。この２列のＬＥＤ素子36aの列（以下、ＬＥＤ素子列という）は、両者の間隔が、情報表示部32cの情報の幅（図９では上下方向）よりも広くなるように設けられている。
【００９１】
また、基板３６の表面には、拡散板３７が設けられている。この拡散板３７は、その端面から光が入射されると、その光を乱反射してその表面から放出する機能を有するものである。この拡散板３７は、基板３６と幅および長さがほぼ同等となるように形成されている。
この拡散板３７には、その表裏を貫通する一対の長孔37h，37hが形成されている。この一対の長孔37h，37hは、その軸方向が拡散板３７の長手方向に沿うように形成されている。しかも、拡散板３７を基板３６の表面に重ねると、一対のＬＥＤ素子列がそれぞれ一対の長孔37h，37h内に収容されるように、一対の長孔37h，37hは形成されている。
【００９２】
したがって、情報提示部３２のカバー部32bの背面（つまり情報表示部32c）と光源部３５の拡散板３７の表面と合わせるように両者を積層すれば、表示器３１を形成することができる。すると、ＬＥＤ素子36aを点灯させれば、情報提示部３２の表面プレート32aの表面に情報表示部32cの情報を表示させることができる。
つまり、ＬＥＤ素子36aが放出した光が、一対の長孔37h，37hの内面から拡散板３７内に入り、拡散板３７内で散乱した散乱光が拡散板３７の表面から放出される。すると、この散乱光は、情報表示部32cを光らせる、または、情報表示部32cの貫通孔の部分だけを通過するので、情報表示部32cの情報はカバー部32bを通しても視認することができるのである。
【００９３】
一方、ＬＥＤ素子36aが消灯している場合には、カバー部32bによって表面プレート32aの表面から情報表示部32cに照射される光を遮ることができるので、情報表示部32cの情報が見えないようにすることができるのである。
【００９４】
なお、図９では、２列のＬＥＤ素子列において、両者のＬＥＤ素子36aが基板３６の長手方向において同じ位置（つまり基板３６の軸端からの距離が同じ位置）となるように配列されているが、必ずしもそのように配置しなくてもよい。例えば、一の列のＬＥＤ素子36aと他の列のＬＥＤ素子36aの位置が、基板３６の長手方向において、互いに位置がずれていてもよい。例えば、２列のＬＥＤ素子列のＬＥＤ素子36aが千鳥配置となるように、各列のＬＥＤ素子36aを配置してもよい。
【００９５】
なお、光源部３５は、エッジライト方式を採用した他の構造とすることも可能である。つまり、拡散板３７として、一対の長孔37h，37hを有しない平板を使用する。そして、基板３６として、拡散板３７を基板３６の表面に重ねると、拡散板３７を側方から挟む状態または軸方向から挟む状態となるように、ＬＥＤ素子36aを設ける。この場合でも、拡散板３７の端面からＬＥＤ素子36aが放出した光を拡散板３７内に入射することができる。
また、光源部３５の発光体としてＬＥＤ素子を使用した場合を説明したが、発光体はＬＥＤ素子に限られず、他の公知の発光素子を使用することも可能である。
【００９６】
さらに、ＬＥＤ素子36aが放出する光の色や情報表示部32cの色、カバー部32bの色などを調整すれば、表示器３１の表示を、色弱の方でも視認しやすいものとすることができる。例えば、ＬＥＤ素子36aが点灯したときに、背景が灰色や黒色、情報が白などとなるようにすればよい。
そして、上述したような表示器３１について、表示器３１を歩行者用押ボタン箱に取り付けるための孔ピッチＰＴなどを調整すれば、既設の歩行者用押ボタン箱の表示器と上記の表示器３１とを交換することも可能となる。
すると、既設の表示器を上述したような表示器３１に交換するだけで、既存の歩行者用押ボタン箱を、簡単に色弱の方に対応した歩行者用押ボタン箱とすることができる。しかも、表示器３１が薄い板状であるので、既設の表示器と交換しても、歩行者用押ボタン箱内の他の機器との干渉を少なくできる。したがって、表示器３１を歩行者用押ボタン箱内に確実に収めることができる。
【産業上の利用可能性】
【００９７】
本発明の歩行者用押ボタン箱は、歩行者の押ボタン操作による横断要求を受け付けて、車両用信号機の点灯色変更する押ボタン信号機の押ボタン箱として適している。
【符号の説明】
【００９８】
１      歩行者用押ボタン箱
３      押ボタン
５      丁番
１０      本体部
２０      正面カバー
２５      庇部
３０      表示部
３１      表示器
３２      情報提示部
３５      光源部
【図１】
2014032468.tif 000003
【図２】
2014032468.tif 000004
【図３】
2014032468.tif 000005
【図４】
2014032468.tif 000006
【図５】
2014032468.tif 000007
【図６】
2014032468.tif 000008
【図７】
2014032468.tif 000009
【図８】
2014032468.tif 000010
【図９】
2014032468.tif 000011
【手続補正書】
【提出日】平成24年8月7日(2012.8.7)
【手続補正１】
【補正対象書類名】明細書
【補正対象項目名】０００７
【補正方法】変更
【補正の内容】
【０００７】
【特許文献１】特開2002-183890号公報
【特許文献２】特開2002-8191号公報
【特許文献３】実用新案登録第3131887号公報